(57)【特許請求の範囲】
【請求項１】
アンテナで受信した空界に多数出現する電波の周波数を広帯域に渡って同時に検出する広帯域受信手段と、
前記広帯域受信手段で検出された周波数毎に受信持続時間を判定する特徴量判定手段と、
前記特徴量判定手段で判定された受信持続時間を持つ周波数の中から、優先的に聴音受信対象として事前設定した受信持続時間範囲に該当する周波数を選択してリスト化し、保存する周波数リスト化手段と、
リスト化された周波数毎に対応した聴音受信周波数を設定する周波数設定手段と、
前記周波数設定手段で設定された聴音受信周波数を順次音声に変換する聴音受信手段とを備えたことを特徴とする聴音受信装置。
【請求項２】
周波数リスト化手段は、選択した事前設定した受信持続時間範囲に該当する周波数から事前設定された聴音不要周波数を除外してリスト化することを特徴とする請求項１記載の聴音受信装置。
【請求項３】
周波数リスト化手段は、リスト化した周波数を設定周期毎に更新することを特徴とする請求項１または請求項２記載の聴音受信装置。
【発明の詳細な説明】
【技術分野】
【０００１】
この発明は、空界に多数出現する電波を受信し、広帯域に渡る周波数を聴音受信する聴音受信装置に関するものである。
【背景技術】
【０００２】
空界に多数出現する電波を広帯域に渡り受信する従来の聴音受信機では、サーチ機能を用いて広帯域の周波数領域を順次捜索し、検出した周波数を、検出時点で聴音受信していくという方法を採っている（例えば特許文献１参照）。
【０００３】
【特許文献１】特開２００３−１２５３０３号公報
【発明の開示】
【発明が解決しようとする課題】
【０００４】
従来の聴音受信機は、以上のような方法で検出周波数を聴音受信するため、聴音実施後、引き続き順次捜索を開始し、次に検出した周波数を聴音受信していくということになる。この方法では、図１０に示すように周波数を順次捜索しているため、捜索していない周波数領域に電波が出現している場合、その出現周波数については受信しないため聴音できないという問題が起こる。また、聴音実施後、次の捜索を開始するため、捜索している間、聴音できない時間が発生するという問題がある。
【０００５】
この発明は、上記問題点を解決するためになされたもので、出現周波数を広帯域の周波数領域に渡って同時に検出し、聴音受信対象とする周波数を優先的に、かつ確実に聴音可能にする聴音受信装置を得ることを目的とする。
【課題を解決するための手段】
【０００６】
この発明に係る聴音受信装置は、アンテナで受信した空界に多数出現する電波の周波数を広帯域に渡って同時に検出する広帯域受信手段と、広帯域受信手段で検出された周波数毎に受信持続時間を判定する特徴量判定手段と、特徴量判定手段で判定された受信持続時間を持つ周波数の中から、優先的に聴音受信対象として事前設定した受信持続時間範囲に該当する周波数を選択してリスト化し、保存する周波数リスト化手段と、リスト化された周波数毎に対応した聴音受信周波数を設定する周波数設定手段と、周波数設定手段で設定された聴音受信周波数を順次音声に変換する聴音受信手段とを備えたものである。
【発明の効果】
【０００７】
この発明によれば、出現電波の周波数を周波数領域に渡り同時に検出し、電波の持続時間等の特徴量に応じて優先的に聴音受信対象とする周波数をリスト化することにより、リストから聴音すべき周波数を順次聴音受信ができるようにしているので、捜索と聴音受信を同時に実施することにより、同時に出現している電波の周波数に対して、必要とするものを効率的に、かつもれなく聴音受信することができる。結果、空界に多数存在する電波の中から、違法電波あるいは敵波等の効率的な識別に利用できる。
【発明を実施するための最良の形態】
【０００８】
実施の形態１．
図１は、この発明の実施の形態１による聴音受信装置の機能構成を示すブロック図である。聴音受信装置は、アンテナ２、持続時間判定手段（特徴量判定手段）５、設定持続時間対応周波数リスト化手段（周波数リスト化手段）６、周波数設定手段７、聴音受信手段８を備えている。
次に、各実施の形態に共通の図２の処理フロー従って動作を説明する
図１において、アンテナ２により、空界に多数出現して到来する電波を広帯域に渡って受信する（ステップＳＴ１）。広帯域受信手段３では、アンテナ２で受信された電波の信号から、図３に示すように、広帯域の周波数領域に渡って存在する周波数を同時に検出し（ステップＳＴ２）、検出した周波数を持続時間判定手段５に与える。持続時間判定手段５では、広帯域受信手段３にて検出されたそれぞれの周波数毎にその周波数の特徴量となる受信持続時間を判定する（ステップＳＴ３）。設定持続時間対応周波数リスト化手段６では、優先的に聴音受信の対象とする受信持続時間（例えば、ｘ秒以上、あるいはｙ〜ｚ秒のように）を事前に設定しておき、持続時間判定手段５で判定された周波数の中から設定受信持続時間に該当する周波数を選択しリスト化して保存する（ステップＳＴ４）。周波数設定手段７では、設定持続時間対応周波数リスト化手段６の周波数リストの周波数に応じて聴音受信手段８で使用する聴音受信周波数を設定する（ステップＳＴ５）。ここでは、周波数リストにある周波数が非常に高い周波数ｆの場合には聴音受信可能な低い周波数Ｆ（＜ｆ）にするというような設定を行う。なお、リスト化されている周波数には持続時間が異なるものが複数存在する場合もあるので、聴音受信周波数もそれぞれ対応した持続時間を持たせるようにするとよい。聴音受信手段８では、設定持続時間対応周波数リスト化手段６から送出される周波数を受信すると、周波数設定手段７により設定された聴音受信周波数にして、その周波数を音声に変換する（ステップＳＴ６）。従って、受信した周波数は聴音できるため、受信内容を識別できるようになる。識別完了後、聴音受信の停止に応じて、次に聴音受信する周波数が引き続き聴音受信できるようになる。この処理を順次繰り返していくと、同時に存在した周波数はもれなく識別可能となる。
【０００９】
以上のように、この実施の形態１によれば、出現電波の周波数を広帯域の周波数領域に渡り同時に検出し、検出した周波数の持続時間を判定し、判定した持続時間の中から、事前に設定した優先的に聴音受信の対象とする受信持続時間に該当する周波数をリスト化し、リスト化した周波数に対応して聴音受信周波数を設定しているので、優先的に所望する電波が聴音受信でき、かつ聴音受信停止後はリストから次の聴音すべき周波数を直ち聴音受信できるようになる。したがって、同時に出現している電波の周波数に対して、必要とするものを効率的に、かつもれなく聴音受信することができる。
【００１０】
実施の形態２．
図４は、この発明の実施の形態２による聴音受信装置の機能構成を示すブロック図である。図において、図１の機能部分に相当する部分には同一符号を付し、その説明は原則として省略する。この実施の形態２では、実施の形態１における持続時間判定手段５の代わりにレベル判定手段（特徴量判定手段）９を設け、また設定持続時間対応周波数リスト化手段６の代わりに、設定レベル対応周波数リスト化手段（周波数リスト化手段）１０を設けた構成を持つ。
図４において、主に実施の形態１と異なる部分の動作について説明する。
レベル判定手段９では、広帯域受信手段３にて検出されたそれぞれの周波数毎にその周波数の特徴量となる受信レベルを判定する（ステップＳＴ３）。受信レベル対応周波数リスト化手段１０では、優先的に聴音受信の対象とする受信レベル（例えば、ｘｄＢｍ以上、あるいはｙ〜ｚｄＢｍのように）を事前に設定しておき、レベル判定手段９で判定された周波数の中から設定受信レベルに該当する周波数を選択しリスト化して保存する（ステップＳＴ４）。周波数設定手段７では、設定レベル対応周波数リスト化手段１０の周波数リストの周波数に応じて聴音受信手段８で使用する聴音受信周波数を設定する（ステップＳＴ５）。なお、リスト化されている周波数には受信レベルが異なるものが複数存在する場合もあるので、聴音受信周波数もそれぞれ対応したレベルを持たせるようにするとよい。
【００１１】
以上のように、この実施の形態２によれば、出現電波の周波数を広帯域の周波数領域に渡り同時に検出し、検出した周波数の受信レベルを判定し、判定した受信レベルの中から、事前に設定した優先的に聴音受信の対象とする受信レベルに該当する周波数をリスト化し、リスト化した周波数に対応して聴音受信周波数を設定しているので、優先的に所望する電波が聴音受信でき、かつ聴音受信停止後はリストから次の聴音すべき周波数が直ちに設定されるようになる。したがって、同時に出現している電波の周波数に対して、必要とするものを効率的に、かつもれなく聴音受信することができる。
【００１２】
実施の形態３．
図５は、この発明の実施の形態３による聴音受信装置の機能構成を示すブロック図である。図において、図１の機能部分に相当する部分には同一符号を付し、その説明は原則として省略する。この実施の形態３では、実施の形態１における設定持続時間対応周波数リスト化手段６の代わりに、設定持続時間対応有用周波数リスト化手段（周波数リスト化手段）１１を設けた構成を持つ。
図５において、主に実施の形態１と異なる部分の動作について説明する。
設定持続時間対応有用周波数リスト化手段１１では、優先的に聴音受信の対象とする受信持続時間（例えば、ｘ秒以上、あるいはｙ〜ｚ秒のように）および聴音不要とする周波数を事前に設定しておき、持続時間判定手段５で判定された周波数の中から設定持続時間に該当する周波数を選択し、かつ選択した周波数の中から設定聴音不要周波数を除外してリスト化し保存する（ステップＳＴ４）。周波数設定手段７では、設定持続時間対応有用周波数リスト化手段１１の周波数リストに基づいて順次聴音受信手段８に聴音受信周波数を設定する（ステップＳＴ５）。
【００１３】
以上のように、この実施の形態３によれば、出現電波の周波数を広帯域の周波数領域に渡り同時に検出し、検出した周波数の持続時間を判定し、判定した持続時間の中から、事前に設定した優先的に聴音受信の対象とする受信持続時間に該当する周波数選択し、その中から事前に設定した聴音不要である周波数を除外してリスト化し、リスト化した周波数に対応して聴音受信周波数を設定しているので、優先的に所望する電波が聴音受信でき、かつ聴音受信停止後はリストから次の聴音すべき周波数を直ち聴音受信できるようになる。したがって、同時に出現している電波の周波数に対して、必要とするものを効率的に、かつもれなく聴音受信することができる。
【００１４】
実施の形態４．
図６は、この発明の実施の形態４による聴音受信装置の機能構成を示すブロック図である。図において、図４の機能部分に相当する部分には同一符号を付し、その説明は原則として省略する。この実施の形態４では、実施の形態２における設定レベル対応周波数リスト化手段１０の代わりに、設定レベル対応有用周波数リスト化手段（周波数リスト化手段）１２を設けた構成を持つ。
図６において、主に実施の形態２と異なる部分の動作について説明する。
設定レベル対応有用周波数リスト化手段１２では、優先的に聴音受信の対象とする受信レベル（例えば、ｘｄＢｍ以上、あるいはｙ〜ｚｄＢｍのように）および聴音不要である周波数を事前に設定しておき、レベル判定手段９で判定された周波数の中から設定受信レベルに該当する周波数を選択し、選択した周波数の中から設定聴音不要周波数を除外した周波数をリスト化し保存する（ステップＳＴ４）。周波数設定手段７では、設定レベル対応有用周波数リスト化手段１２の周波数リストに基づいて順次聴音受信手段８に聴音受信周波数を設定する（ステップＳＴ５）。
【００１５】
以上のように、この実施の形態４によれば、出現電波の周波数を広帯域の周波数領域に渡り同時に検出し、検出した周波数の受信レベルを判定し、判定した受信レベルの中から、事前に設定した優先的に聴音受信の対象とする受信レベルの周波数を選択し、選択した周波数の中から事前に設定した聴音不要である周波数を除外してリスト化し、リスト化した周波数に対応して聴音受信周波数を設定しているので、優先的に所望する電波が聴音受信でき、かつ聴音受信停止後はリストから次の聴音すべき周波数が直ちに設定されるようになる。したがって、同時に出現している電波の周波数に対して、必要とするものを効率的に、かつもれなく聴音受信することができる。
【００１６】
実施の形態５．
図７は、この発明の実施の形態５による聴音受信装置の機能構成を示すブロック図である。図において、図１の機能部分に相当する部分には同一符号を付し、その説明は原則として省略する。この実施の形態５では、実施の形態１における設定持続時間対応周波数リスト化手段６の代わりに、設定持続時間・保存周期周波数リスト化手段（周波数リスト化手段）１４を設けた構成を持つ。
図７において、主に実施の形態１と異なる部分の動作について説明する。
設定持続時間・保存周期周波数リスト化手段１４では、優先的に聴音受信の対象とする受信持続時間（例えば、ｘ秒以上、あるいはｙ〜ｚ秒のように）およびリストを定周期にリフレッシュするためにリストの保存周期を事前に設定しておき、設定周期毎に周波数をリスト化して保存し、持続時間判定手段５で判定された周波数の中から設定受信持続時間に該当する周波数を選択しリスト化して保存する（ステップＳＴ４）。そして、保存周期を過ぎる毎に周波数のリストを更新する。周波数設定手段７では、設定持続時間・保存周期周波数リスト化手段１０の周波数リストに基づいて聴音受信手段８で使用する聴音受信周波数を設定する（ステップＳＴ５）。
【００１７】
以上のように、この実施の形態５によれば、実施の形態１と同様に、出現電波の周波数を広帯域の周波数領域に渡り同時に検出し、検出した周波数の持続時間を判定し、判定した持続時間の中から、事前に設定した優先的に聴音受信の対象とする受信持続時間に該当する周波数をリスト化し、リスト化した周波数に対応して聴音受信周波数を設定しているので、優先的に所望する電波が聴音受信できる。加えて、周波数リストを設定保存周期を過ぎる毎に更新するようにしたので、周波数リストが膨大になった場合、すなわち出現電波が多数ある場合に、更新により、より最新に出現している電波を所望する受信持続時間に応じて効果的に聴音受信することが可能となる。
【００１８】
実施の形態６．
図８は、この発明の実施の形態６による聴音受信装置の機能構成を示すブロック図である。図において、図４の機能部分に相当する部分には同一符号を付し、その説明は原則として省略する。この実施の形態６では、実施の形態２における設定レベル対応周波数リスト化手段１０の代わりに、設定レベル・保存周期周波数リスト化手段（周波数リスト化手段）１５を設けた構成を持つ。
図８において、主に実施の形態２と異なる部分の動作について説明する。
設定レベル・保存周期周波数リスト化手段１５では、優先的に聴音受信の対象とする受信レベル（例えば、ｘｄＢｍ以上、あるいはｙ〜ｚｄＢｍのように）およびリストを定周期にリフレッシュするためにリストの保存周期を事前に設定しておき、レベル判定手段９で判定された周波数の中から設定受信レベルに該当する周波数を選択しリスト化して保存する（ステップＳＴ４）。そして、保存周期を過ぎる毎に周波数のリストを更新する。周波数設定手段７では、設定レベル・保存周期周波数リスト化手段１５の周波数リストに基づいて聴音受信手段８の聴音受信周波数を設定する（ステップＳＴ５）。
【００１９】
以上のように、この実施の形態６によれば、実施の形態２と同様に、出現電波の周波数を広帯域の周波数領域に渡り同時に検出し、検出した周波数の受信レベルを判定し、判定した受信レベルの中から、事前に設定した優先的に聴音受信の対象とする受信レベルに該当する周波数をリスト化し、リスト化した周波数に対応して聴音受信周波数を設定しているので、優先的に所望する電波が聴音受信できる。加えて、周波数リストを設定保存周期を過ぎる毎に更新するようにしたので、周波数リストが膨大になった場合、すなわち出現電波が多数ある場合に、更新により、より最新に出現している電波を所望する受信レベルに応じて効果的に聴音受信することが可能となる。
【００２０】
実施の形態７．
図９は、この発明の実施の形態７による聴音受信装置の機能構成を示すブロック図である。図において、図１の機能部分に相当する部分には同一符号を付し、その説明は原則として省略する。この実施の形態７では、実施の形態１における持続時間判定手段５を用いず、また、設定持続時間対応周波数リスト化手段６の代わりに、設定保存周期対応周波数リスト化手段（周波数リスト化手段）１３を設けた構成を持つ。
図９において、主に実施の形態１と異なる部分の動作について説明する。この実施の形態７の場合、図２の処理フローで、ステップＳＴ３を飛ばした処理を行うことになる。
広帯域受信手段３の検出処理（ステップＳＴ２）で得られた広帯域の周波数領域に渡って存在する周波数を設定保存周期対応周波数リスト化手段１３で直接リスト化する（ステップＳＴ４）。この場合、設定保存周期対応周波数リスト化手段１３では、リストをリフレッシュするためにリストの保存周期を事前に設定しておき、設定周期毎に周波数をリスト化して保存し、保存期間を過ぎる毎に周波数を更新していく。周波数設定手段７では、設定保存周期対応周波数リスト化手段１３の周波数リストに基づいて聴音受信手段８で使用する聴音受信周波数を設定する（ステップＳＴ５）。
【００２１】
以上のように、この実施の形態７によれば、出現電波の周波数を広帯域の周波数領域に渡り同時に検出し、検出した周波数を、事前に設定した優先的に聴音受信の対象とする保存周期でリスト化し、設定した保存周期を過ぎる毎にリストを更新し、リスト化した周波数に対応して聴音受信周波数を設定しているので、最新に出現している電波を優先的に聴音受信することができる。
【図面の簡単な説明】
【００２２】
【図１】この発明の実施の形態１による聴音受信装置の機能構成を示すブロック図である。
【図２】この発明に係る聴音受信装置の受信信号の処理手順を示すフローチャートである。
【図３】この発明に係る聴音受信装置による周波数受信状況を示す説明図である。
【図４】この発明の実施の形態２による聴音受信装置の機能構成を示すブロック図である。
【図５】この発明の実施の形態３による聴音受信装置の機能構成を示すブロック図である。
【図６】この発明の実施の形態４による聴音受信装置の機能構成を示すブロック図である。
【図７】この発明の実施の形態５による聴音受信装置の機能構成を示すブロック図である。
【図８】この発明の実施の形態６による聴音受信装置の機能構成を示すブロック図である。
【図９】この発明の実施の形態７による聴音受信装置の機能構成を示すブロック図である。
【図１０】従来の聴音受信装置による周波数受信状況を示す説明図である。
【符号の説明】
【００２３】
２  アンテナ、３  広帯域受信手段、５  持続時間判定手段、６  設定持続時間対応周波数リスト化手段、７  周波数設定手段、８  聴音受信手段、９  レベル判定手段、１０  設定レベル対応周波数リスト化手段、１１  設定持続時間対応有用周波数リスト化手段、１２  設定レベル対応有用周波数リスト化手段、１３  設定保存周期対応周波数リスト化手段、１４  設定持続時間・保存周期周波数リスト化手段、１５  設定レベル・保存周期周波数リスト化手段。
【図１】
0004875022.tif 000002
【図２】
0004875022.tif 000003
【図３】
0004875022.tif 000004
【図４】
0004875022.tif 000005
【図５】
0004875022.tif 000006
【図６】
0004875022.tif 000007
【図７】
0004875022.tif 000008
【図８】
0004875022.tif 000009
【図９】
0004875022.tif 000010
【図１０】
0004875022.tif 000011